(57)【要約】  本発明は、ハンドル（２）と、少なくとも１つの駆動可能なカッター要素（４）を含むシェーバヘッド（３）と、を備える、電気シェーバに関し、シェーバヘッドは、旋回軸線及び／又は傾斜軸線を提供する支持構造体（３０）によって、ハンドルに接続されており、シェーバヘッドは、ハンドルに対して旋回又は傾斜することができ、支持構造体は、４関節リンク機構を形成する一対のリンクアーム（３１、３２）を含み、リンクアームのそれぞれは、シェーバヘッド部分に接続されたヘッドジョイント（３１ａ、３２ａ）と、ハンドル又はハンドルに接続されたベース部に接続されたハンドルジョイント（３１ｂ、３２ｂ）と、を有している。一対のリンクアームは、シェーバヘッド部分に接続するリンクアームのヘッドジョイントが、ハンドル又はベース部に接続するリンクアームのハンドルジョイントよりも、ハンドルから更に離れている起立構成で配置されていてもよい。
2019528967.tif 000002
【特許請求の範囲】
【請求項１】
ハンドル（２）と、駆動可能なカッター要素（４）及び剪断フォイル（５）を含む少なくとも１つのカッターユニット（１００）を含むシェーバヘッド（３）と、駆動伝達部（９）を介して前記カッター要素（４）に接続されたモータ（９３）と、を備える、電気シェーバであって、前記シェーバヘッド（３）は、旋回軸線及び傾斜軸線（７、１１）を提供する支持構造体（３０）によって、前記ハンドル（２）に接続され、前記シェーバヘッド（３）は、前記旋回軸線及び前記傾斜軸線（７、１１）を中心に前記ハンドル（２）に対して旋回又は傾斜することができ、前記旋回軸線及び前記傾斜軸線（７、１１）は、互いに隣接し、かつ互いに横断する方向に前記カッター要素（４）に隣接して延在しており、前記支持構造体（３０）は、４関節リンク機構を形成する一対のリンクアーム（３１、３２）を含み、前記リンクアーム（３１、３２）のそれぞれは、シェーバヘッド部分に接続されたヘッドジョイント（３１ａ、３２ａ）と、前記ハンドル（２）又は前記ハンドル（２）に接続されたベース部に接続されたハンドルジョイント（３１ｂ、３２ｂ）と、を有しており、前記リンクアーム（３１、３２）は、前記リンクアーム（３１、３２）の前記ヘッドジョイント（３１ａ、３２ａ）が、前記リンクアーム（３１、３２）の前記ハンドルジョイント（３１ｂ、３２ｂ）よりも前記ハンドル（２）から更に離れている、起立構成で装着されており、前記リンクアーム（３１、３２）は、前記シェーバヘッド（３）の仮想中心点（４１）に関して、前記ハンドル（２）に向かって互いから分岐する２つの分岐部を含む２つの勾配の屋根形体を有する軌道（６２）を画定するように構成され、前記仮想中心点（４１）は、前記リンクアーム（３１、３２）の前記ヘッドジョイント（３１ａ、３２ａ）に接続された前記シェーバヘッド部分が固定され、かつ前記カッター要素（４）の領域内において、前記カッター要素（４）の中心に位置付けられた点であることを特徴とする、電気シェーバ。
【請求項２】
前記軌道（６２）の前記２つの分岐部は、前記軌道（６２）のピーク点から、前記ピーク点を通ってかつ前記ハンドル（２）の長手方向軸線に対して平行である中心平面に対して鋭角で延在しており、前記軌道（６２）は、前記シェーバヘッド（３）の延在部全体の＋／−１５％未満だけ、前記平面に対して垂直な方向に、前記平面から延在している、請求項１に記載の電気シェーバ。
【請求項３】
前記リンクアーム（３１、３２）は、剃毛される皮膚に接触する前記シェーバヘッド（３）の機能面に作用する、前記シェーバヘッドを傾斜させるための力の方向が、前記傾斜軸線（１１）に対して垂直であり、かつ前記シェーバヘッドの機能面（５６）と交差する垂直軸線（２０）によって画定された、前記シェーバヘッドのある点における前記シェーバヘッドの大きい傾斜運動成分の方向と同じであるように構成されている、請求項１又は２に記載の電気シェーバ。
【請求項４】
前記リンクアーム（３１、３２）は、前記カッター要素（４）を通って、かつ／又は前記カッター要素に隣接して延在し、かつ、前記シェーバヘッドの回転の作動範囲を考慮すると、剃毛される前記皮膚に接触する前記シェーバヘッド（３）の機能面（５６）に向かって凸状である湾曲形状を有する、経路（６０）に沿って移動する瞬間回転中心を画定するように構成され、前記シェーバヘッド（３）の前記瞬間回転中心（６１）は、前記リンクアーム（３１、３２）によって画定された前記軸線を中心とする回転時に、前記シェーバヘッドが前記ハンドル（２）に向かって沈降する、前記シェーバヘッド（３）の沈降側（５８、５９）から更に離れる方向に移動している、請求項１〜３のいずれか一項に記載の電気シェーバ。
【請求項５】
前記経路（６０）は、前記シェーバヘッド（３）の旋回軸線（７）から前記ハンドル（２）に向かって延在する半球内に完全に延在し、前記旋回軸線（７）は、前記傾斜軸線（７）を横断し、かつ前記ハンドル（２）の前記長手方向軸線（２０）を横断して延在し、かつ／又は前記経路（６０）は、前記カッター要素（４）の往復軸線（８）に対して垂直な方向に、前記カッター要素（４）の両端部を通る仮想平面間に画定された空間に制限される、請求項４に記載の電気シェーバ。
【請求項６】
前記モータ（９３）は、前記シェーバヘッドと反対側の前記ハンドルジョイント（３１ｂ、３２ｂ）の側で、前記ハンドル（２）内に受容されており、前記駆動伝達部（９）は、前記ハンドル（２）から前記シェーバヘッド（３）の中に延在し、かつ前記リンクアーム（３１、３２）を通る駆動シャフト（９０）を含んでおり、前記ハンドルジョイント（３１ｂ、３２ｂ）及び前記ヘッドジョイント（３１ａ、３２ｂ）によって画定された前記４関節リンク機構の枢動軸線は、前記駆動シャフト（９０）の両側で、前記駆動シャフト（９０）を横断して延在している、請求項１〜５のいずれか一項に記載の電気シェーバ。
【請求項７】
前記リンクアーム（３１、３２）は、前記駆動シャフト（９０）の回転軸線（１９０）を横断し、かつ前記カッター要素（４）の往復軸線（８）を横断して延在する、前記傾斜軸線（１１）を提供する、請求項６に記載の電気シェーバ。
【請求項８】
前記駆動伝達部（９）は、前記シャフト（９０）に堅固に接続されたクランク要素（９２）と、前記クランク要素（９２）に堅固に接続され、駆動時、前記カッター要素（４）と係合する駆動ピン（９１）と、を更に含み、前記シャフト（９０）は、前記ハンドル（２）によって回転可能に支持されているが、そうでなければ、前記駆動ピン（９１）の長手方向軸線（１３）が前記ハンドル（２）に対して一定の配向で延在するように、前記ハンドル（２）によって固定して支持されており、前記駆動ピン（９１）の長手方向軸線（１３）は、前記カッター要素の往復軸線（８）／前記往復軸線（８）を横断して延在している、請求項１〜７のいずれか一項に記載の電気シェーバ。
【請求項９】
前記駆動シャフト（９０）は、前記駆動シャフト（９０）の回転軸線（１９０）と共に、前記ハンドルの長手方向軸線に対して平行に、又は前記ハンドルの長手方向軸線（２０）に対して３０°未満、若しくは２０°未満、若しくは１０°未満の鋭角で延在している、請求項１〜８のいずれか一項に記載の電気シェーバ。
【請求項１０】
前記リンクアーム（３１、３２）は、前記シェーバヘッド（３）の中立又は中間又は非傾斜位置において、前記リンクアーム（３１、３２）の前記ハンドルジョイント（３１ｂ、３２ｂ）の互いからの距離（Ｌ１）が、前記リンクアーム（３１、３２）の前記ヘッドジョイント（３１ａ、３２ａ）の互いからの距離（Ｌ２）よりも大きい、２つの勾配の屋根様形体で配置され、前記ハンドルジョイント（３１ｂ、３２ｂ）の互いからの前記距離（Ｌ１）は、前記カッター要素の往復運動軸線（８）の方向に測定された前記シェーバヘッド（３）の長さ（Ｌ３）の５０％未満である、請求項１〜９のいずれか一項に記載の電気シェーバ。
【請求項１１】
前記リンクアーム（３１、３２）の長さ（ｌ）は、前記リンクアーム（３１、３２）の前記ヘッドジョイント（３１ａ、３２ａ）の互いからの距離（Ｌ２）／前記距離（Ｌ２）よりも小さい、請求項１〜１０のいずれか一項に記載の電気シェーバ。
【請求項１２】
前記旋回軸線（７）は、前記カッター要素（４）の機能面を通って、かつ／又は前記機能面に隣接して延在し、前記旋回軸線（７）は、前記ハンドル（２）の長手方向軸線（２０）を横断し、かつ前記カッター要素（４）の往復軸線（８）／前記往復軸線（８）に対して実質的に平行に延在しており、前記旋回軸線（７）は、前記ハンドル（２）に対して傾斜軸線（１１）を中心に傾斜可能なシェーバヘッドフレーム（６）に対して前記カッター要素（４）を旋回させることを可能にし、前記旋回軸線（７）は、固定枢動軸線を提供する枢動軸受（３４）によって形成されている、請求項１〜１１のいずれか一項に記載の電気シェーバ。
【請求項１３】
付勢手段（７０）は、前記シェーバヘッド（３）を、前記ハンドル（２）から離れる方向に、かつ／又は前記ベース部（４５）から離れる方向に付勢するために設けられ、これによって、前記シェーバヘッド（３）を、前記リンクアーム（３１、３２）の中立又は非傾斜位置へ付勢し、前記カッターユニット（１００）の浮上を可能にする、請求項１〜１２のいずれか一項に記載の電気シェーバ。
【請求項１４】
前記一対のリンクアーム（３１、３２）は、前記一対のリンクアーム（３１、３２）のハンドルジョイント（３１ｂ、３２ｂ）と共に、前記ハンドル（２）に移動可能に支持されている前記ベース部（４５）に接続されて、前記ハンドル（２）の前記長手方向軸線（２０）に沿って、前記支持構造体（３０）全体を、前記ハンドル（２）に向かって沈降させることを可能にしており、付勢装置又はばね装置は、前記ベース部（４５）をハンドル（２）から離れる方向に付勢するか又は促すために設けられている、請求項１〜１３のいずれか一項に記載の電気シェーバ。
【請求項１５】
前記旋回軸線（７）及び前記傾斜軸線（１１）は、前記カッター要素（４）を駆動するために、前記カッター要素（４）を前記駆動伝達部（９）に接続する接続点（２００）を含む仮想平面内又は前記仮想平面のすぐ近くに隣接して延在し、前記仮想平面は、前記駆動シャフト（９０）の前記長手方向軸線（１９０）に対して実質的に垂直に延在する、請求項１〜１４のいずれか一項に記載の電気シェーバ。
【発明の詳細な説明】
【技術分野】
【０００１】
本発明は、角度位置を皮膚の輪郭に自己適合することができるシェーバヘッドを有する電気シェーバに関する。特に、本発明は、ハンドルと、少なくとも１つの駆動可能なカッター要素を含むシェーバヘッドと、を備える、電気シェーバに関し、シェーバヘッドは、旋回軸線及び傾斜軸線を提供する支持構造体によって、ハンドルに接続されており、シェーバヘッドは、旋回軸線及び傾斜軸線を中心にハンドルに対して旋回及び傾斜することができ、支持構造体は、４関節リンク機構を形成する一対のリンクアームを含み、それぞれのリンクアームは、シェーバヘッド部分に接続されたヘッドジョイントと、ハンドル又はハンドルに接続されたベース部に接続されたハンドルジョイントと、を有している。
【背景技術】
【０００２】
電気シェーバは、通常、電気駆動ユニットによって、カッター要素が剪断フォイル下で往復運動する振動様式で駆動される１つ以上のカッター要素を有し、そのようなカッター要素又はアンダーカッターは、細長い形状を有し得、それらの長手方向軸線に沿って往復運動し得る。他の型の電気シェーバでは、振動様式又は連続様式で駆動され得る回転カッター要素を用いている。電気駆動ユニットは、電気モータ又は磁気式リニアモータを含み得、この駆動ユニットは、モータの駆動動作をカッター要素に伝達するための細長い駆動伝達部などの要素を有する駆動トレーンを含み得、モータは、シェーバのハンドル部分内に、又は代替的にシェーバのシェーバヘッド内に受容され得る。
【０００３】
駆動ユニット及び駆動トレーンの基本構成に関係なく、カッター要素は、前述の切断動作に加えて、剃毛される皮膚の輪郭に自己適合するように他の方向に移動可能であり得る。例えば、カッター要素は、シェーバのハンドルに対して１つ以上の軸線を中心に回動可能なシェーバヘッドの一部であり得、シェーバヘッドをハンドルに接続する支持構造体は、シェーバヘッドが、細長いカッター要素及び／又はカッター要素の往復軸線に対して実質的に平行に延在する旋回軸線を中心に旋回することを可能にし得る。追加的に又は代替的に、支持構造体は、シェーバヘッドが、ハンドルの長手方向軸線を横断して、かつ細長いカッター要素及び／又はその往復軸線を横断して延在する傾斜軸線を中心に傾斜することを可能にし得る。このようなシェーバヘッドの動きに加えて、又はこれに代えて、カッター要素は、剃毛される皮膚の輪郭に対する位置を調整するように、シェーバヘッドの中に沈降し得る。
【０００４】
シェーバヘッドをハンドルに接続する支持構造体は、前述の旋回運動及び／又は傾斜運動を可能にするように、かつ駆動ユニットからカッター要素まで延在する駆動トレーンとの衝突を回避するように、異なる構成を有し得る。例えば、支持構造体は、一方をハンドルに枢動可能に装着され、他方をシェーバヘッドフレームなどのシェーバヘッド部分に枢動可能に装着されている一対のリンクアームによって形成されるいわゆる４関節リンク機構を含み得る。ハンドル及びシェーバヘッドにそれぞれリンクアームを接続する枢動可能なジョイントは、互いに平行であり、かつかかる４関節リンク機構によって画定される傾斜軸線又は旋回軸線に対して平行である、複数の枢動軸線を画定し得る。リンクアームの回動運動又は回転運動により、シェーバヘッドは、傾斜又は旋回し得て、その回転位置を調整して、皮膚の輪郭により良好に追従することができる。
【０００５】
例えば、先行技術参考文献の米国特許出願公開第２０１０／０１７５２６４（Ａ１）号は、ハンドルに対するシェーバヘッドのこのような４関節リンク機構を示しており、リンクアームは、一種の振り子又は吊り下げ配置で配置されている。ハンドルに取り付けられた介在部（interposer part）は、シェーバヘッドの中へ上向きに突出する２つのポールを含んでおり、リンクアームは、かかるポールの上端部に枢動可能に取り付けられて、ハンドルに向かって逆に下向きに延在するか又は吊り下がる。かかる吊り下げリンクアームの下端部は、シェーバヘッドフレームに枢動可能に接続されている。
【０００６】
ハンドルに向かって「下向きに吊り下がる」リンクアームを備える、シェーバのハンドルに対するシェーバヘッドの類似の４関節リンク機構は、欧州特許出願公開第１６２１２９９（Ａ１）号から知られており、かかるシェーバヘッドのカッター要素は、シェーバヘッド内に受容されるモータによって駆動される。シェーバヘッド内部のかかるモータ配置により、シェーバ全体はもはや均衡化されておらず、重量分布の観点から頂部が重い。更に、シェーバヘッド内のモータに必要とされる空間により、第２の枢動軸線、すなわち、ハンドルに対するシェーバヘッドの多軸運動を可能にする傾斜軸線及び旋回軸線を位置付けすることがやや難しい。
【０００７】
電気シェーバのシェーバヘッドを電気シェーバのハンドルに移動可能に接続する類似の支持構造体が、参考文献の特開２０１６−７７４６４（Ａ）号によって示されており、これはまた、一対の吊り下げリンクアームを含む４関節リンク機構を示している。
【０００８】
電気シェーバのシェーバヘッドを旋回軸線及び傾斜軸線を中心として旋回及び傾斜させることを可能にする別の支持構造体は、欧州特許第２４３５２１８（Ｂ１）号によって示されており、これは、クレードル様のハンドル部分に枢動可能に装着され、他方では、カッター要素が支持されているカッターフレームを枢動可能に支持するシェーバヘッドフレームを含む、カルダン支持構造体を示唆している。
【０００９】
更に、オーストリア特許第４０９６０４（Ｂ）号は、カッター要素を有する電気シェーバを示しており、これは、振動切断運動に加えて、剃毛される皮膚に対するカッター要素位置の調整を可能にするように、シェーバの長手方向軸線及びカッター要素の振動軸線に対して垂直な軸線を中心に枢動し得、シェーバハウジングの長手方向軸線に対して平行な軸線を中心に回転振動し得る。駆動モータをカッター要素に接続する伝達トレーンは、シェーバハウジングの長手方向軸線に対して平行な枢動軸線を中心に回転振動する連結構造体を含む。
【００１０】
米国特許出願公開第２００９／００２５２２９（Ａ１）号は、電気シェーバのカッター要素のための駆動ユニットを開示しており、駆動ユニットは、シェーバハウジングからシェーバヘッドに向かって延在する伝達ピンを含み、伝達ピンの振動駆動運動が、シェーバヘッド内で振動往復運動のために支持される振動ブリッジを介してカッター要素に適用される。振動ブリッジは、カッター要素の運動を調整可能にするために、しなやかな連結アームを含む。類似の伝達アーキテクチャが、米国特許第７，８４１，０９０（Ｂ２）号から知られている。
【００１１】
カッター要素の適合運動を可能にする更なる電気シェーバは、米国特許第３，７４８，３７１（Ｂ）号、仏国特許第１３９１９５７（Ａ）号、英国特許第８１１，２０７（Ｂ）号、及び米国特許第５，７０４，１２６（Ｂ）号から知られている。
【００１２】
国際公開第２０１０／０００３５２（Ａ１）号は、一対のリンクアームを有する４関節リンク機構によってハンドルに接続されたシェーバヘッドを有するシェーバを示している。シェーバのカッター要素は、ロッカーバーを横断し、かつシェーバの長手方向軸線を横断する軸線を中心にモータによって回転されるロッカーバーを介して、モータによって駆動される。モータは、シェーバヘッド内に、又はハンドルの上部で一対のリンクアームの間に配置されている。駆動ユニットのこのような配置により、シェーバ全体はもはや均衡化されておらず、頂部が重いのでシェーバの快適な取り扱い性が損なわれている。加えて、シェーバヘッドは、モータがヘッド内に存在するとき、やや嵩張ることになり、これは鼻と唇との間の顔部分などのより小さな皮膚部分を剃毛することを困難にする場合があり、更に、モータがハンドルの上部でリンクアームの間に配置されるとき、４関節リンク機構のキネマティクス（kinematics）が制限される。更に、ロッカーアームの屈曲によって駆動効率が制限される。
【先行技術文献】
【特許文献】
【００１３】
【特許文献１】米国特許出願公開第２０１０／０１７５２６４（Ａ１）号
【特許文献２】欧州特許出願公開第１６２１２９９（Ａ１）号
【特許文献３】特開２０１６−７７４６４（Ａ）号
【特許文献４】欧州特許第２４３５２１８（Ｂ１）号
【特許文献５】オーストリア特許第４０９６０４（Ｂ）号
【特許文献６】米国特許出願公開第２００９／００２５２２９（Ａ１）号
【特許文献７】米国特許第７，８４１，０９０（Ｂ２）号
【特許文献８】米国特許第３，７４８，３７１（Ｂ）号
【特許文献９】仏国特許第１３９１９５７（Ａ）号
【特許文献１０】英国特許第８１１，２０７（Ｂ）号
【特許文献１１】米国特許第５，７０４，１２６（Ｂ）号
【特許文献１２】国際公開第２０１０／０００３５２（Ａ１）号
【発明の概要】
【課題を解決するための手段】
【００１４】
本発明の根底にある目的は、従来技術の欠点の少なくとも１つを回避し、かつ／又は既存の解決方法を更に発展させる、改良された電気シェーバを提供することである。本発明の根底にあるより具体的な目的は、駆動トレーンへの制限なしに、かつ駆動ユニットとの衝突による支持構造体のキネマティクスへの制限なしに、シェーバヘッドが、ハンドルに対する位置を自己調整することを可能にすることである。
【００１５】
本発明の根底にある更なる目的は、剃毛される皮膚の輪郭に対するシェーバヘッドの角度位置のより良好な自己適合性を備える、シェーバの簡単な、良好に均衡化された取り扱い性を可能にすることであり、これには、剃毛される皮膚の輪郭に沿ってシェーバヘッドを動かすとき、変化する皮膚の輪郭に対するシェーバヘッドの自己調節的旋回運動及び傾斜運動のより良好な応答性が含まれる。
【００１６】
本発明の根底にあるまた更なる目的は、シェーバのカッター要素の高度に効率的な駆動を達成すること、及びより小さな圧力が、皮膚の輪郭に接触する機能的シェーバヘッド面に加えられる状態で、剃毛される皮膚の輪郭に対するシェーバヘッドの自己調整を達成すること、及び／又はより小さな復元力で中立位置へのシェーバヘッドのより迅速な再調整を達成することである。
【００１７】
前述の目的のうちの少なくとも１つを達成するために、リンクアームは、特に、リンクアームの長さ及びヘッドジョイントとハンドルジョイントとの間の距離は、ハンドルに対してシェーバヘッドを回転又は傾斜させるときにシェーバヘッドの仮想中心点が沿って移動する軌道が、ハンドルに向かって互いから分岐する２つの軌道分岐部を含む２つの勾配の屋根様形体を有するように構成され得る。シェーバヘッドの仮想中心点は、リンクアームのヘッドジョイントに接続されるシェーバヘッド部分が固定され、カッターユニットの中心領域内に位置付けられ、それ故に、傾斜軸線及び旋回軸線に隣接する点であると考えることができる。仮想中心点は、カッター要素自体の点ではないので、カッター要素は、追加の往復運動を実行し、一方で仮想中心点は、４点リンク機構の制御下でシェーバヘッドフレームの回転運動のみを実行する。
【００１８】
換言すれば、４関節リンク機構は、シェーバヘッドが回転又は傾斜されるとき、カッター要素の中心がハンドルに向かって沈降するように構成され得る。カッター要素の中心に位置するシェーバヘッドの点のかかる軌道は、シェーバを取り扱う際の自然な感触を可能にし、加えて、シェーバヘッドの中立位置への容易な復元を可能にする。特に、軌道の前述の２つの勾配の屋根様形体は、シェーバヘッドがその中立位置を離れるときのカッター要素と剪断フォイルとの間の摩擦抵抗を低減し得る。これは、前述の軌道構成により、ハンドルに対するシェーバヘッドの回転が、剪断フォイルに対するカッター要素の移動を全く引き起こさないか、又は非常に小さくしか引き起こさないので、剪断フォイルに対するカッター要素の摩擦抵抗によって引き起こされる、シェーバヘッドの回転に対する抵抗が、より少ないか、又は全くないからである。
【００１９】
軌道は、延在部がハンドルの長手方向軸線を含む平面の近傍によって画定される中央区分に限定されている、やや狭い形体を有していてもよい。特に、前述の２つの軌道の分岐部は、軌道のピーク点から、長手方向ハンドル軸線を含むこの中央平面に対して、やや急にかつ／又はわずかに傾斜する方向に延在してもよい。例えば、軌道は、長手方向ハンドル軸線を含む中央平面から、この平面に対して垂直な方向にシェーバヘッドの延在部全体の＋／−２５％未満又は＋／−１０％未満だけ延在する、シェーバの中央部分に限定されてもよい。かかる狭い軌道は、摩擦力に起因する不要な傾斜に対するシェーバヘッドの安定性を改良することができ、しっかりとした取り扱い感覚をユーザに与えることができる。
【００２０】
更なる態様によれば、リンクアームは、剃毛される皮膚に接触するシェーバヘッドの機能面に作用する、シェーバヘッドを傾斜させるための力の方向が、傾斜軸線に対して垂直であり、かつシェーバヘッドの機能面と交差する垂直軸線によって画定されるある点で、シェーバヘッドの傾斜運動の大きな成分方向と実質的に同じであるように構成されてもよい。対照的に、従来技術のリンクアームは、通常、シェーバヘッドの傾斜運動中、仮にあったとしても、小さな運動成分のみがハンドルの方へ向かうように構成されている。結果として、シェーバヘッドはまた、大きな傾斜運動成分と共に、外側横方向に移行することができる。このような既知の配置の軌道は、前述の２つの勾配の屋根様形体とは異なるループを含んでいてもよい。
【００２１】
基本的に、電気モータは、旋回軸線及び傾斜軸線を中心とする回転運動のうちの少なくとも１つに従うように、シェーバヘッド内部に収容されると考えられる。シェーバヘッド内部のかかる配置は、駆動トレーンの長さを短縮し、それ故に、力及び／又はトルクの直接伝達をもたらす。しかしながら、頂部が重い重量分布を避けるように、電気モータは、ハンドルを形成するシェーバハウジング内に収容されてもよく、モータをカッター要素に接続する駆動伝達部は、ハンドルからシェーバヘッドの中に延在する駆動シャフトを含み、それ故に、シェーバヘッドがハンドルに対して傾斜及び／又は旋回することを可能にする支持構造体を通る。特に、モータは、シェーバヘッドとは反対のハンドルジョイントの側でハンドル内に受容されてもよく、リンクアームのハンドルジョイント及びヘッドジョイントによって画定される４関節リンク機構の複数の枢動軸線は、駆動シャフトを横断してその両側に延在する。
【００２２】
特に、一対のリンクアームは、シェーバヘッド部分に接続するリンクアームのヘッドジョイントが、ハンドル又はベース部に接続するリンクアームのハンドルジョイントよりも、ハンドルから更に離れている、起立構成で配置されていてもよい。４点リンク機構がシェーバヘッドとモータとの間に配置され、シャフトがハンドルからシェーバヘッドの中に延在するように、モータをハンドル内部でリンクアームのハンドルジョイントの下方に配置するとき、リンクアームの配置及び位置付けについて制限の少ない、シェーバヘッドの改良されたキネマティクスを達成することができ、かつシェーバの均衡化された取り扱い性を達成することができる。ハンドルの長手方向軸線に対して実質的に平行に、又はハンドルの長手方向軸線に対してわずかに傾斜して延在するシャフトは、回転軸線を有し、回転軸線に対して横断方向に大きな空間を必要としないやや細い要素であるので、４関節リンク機構のための大きな空間が、特に、シェーバ本体の中央領域において存在し、よって、シェーバヘッドの可動式の支持構造体の所望のキネマティクスが可能となる。それでもなお、シェーバは、モータの重量がハンドル内に存在することにより、良好に均衡化されている。加えて、軽量化するために小さい寸法で設計される場合であっても、シャフトがロッカーバーよりも少ない屈曲を受けるやや硬い伝達部であることにより、駆動効率を向上させることができる。
【００２３】
リンクアームの吊り下げ配置又は振り子配置とは反対に、シェーバヘッドがハンドルの上方にある直立位置のシェーバを考慮すると、リンクアームの複数の上端はハンドルに接続され、リンクアームの複数の吊り下げ下端はシェーバヘッドに接続される。このような起立構成は、駆動トレーンのために使用され得る追加の空間をもたらし、シェーバヘッド支持体のより良好なキネマティクスをもたらす。前述のシェーバの直立位置を考慮すると、かかる起立構成において、リンクアームの複数の下端部はハンドル又はベース部に接続され、リンクアームの複数の上端部はシェーバヘッド部分に接続されるので、ハンドル又はベース部は、リンクアームの上端に到達するためにシェーバヘッドの中に深く延在する必要はなく、シェーバヘッドの領域内のかなりの空間を節約し、それ故に、シェーバヘッドを通って延在する駆動トレーンにより多くの解放性及び空間を与える。
【００２４】
支持構造体、特に前述の４関節リンク機構を通るこのような駆動シャフトは、ハンドル及び／又はシェーバヘッドの中央領域内に延在してもよく、４関節リンク機構の前述のリンクアームの中間に延在してもよい。換言すれば、リンクアームは、駆動トレーンの両側に位置付けられてもよく、前述の駆動シャフト又は細長い伝達部をこれらの間に挟んでもよい。代替的に、リンクアームは、駆動トレーン又は伝達部の一方の側に設けることができる。例えば、リンクアームは、駆動トレーンがリンクアームの一方の側で支持構造体を通るように、リンクアームによって画定される回転軸線の方向にオフセットされてもよい。追加的に又は代替的に、リンクアームはまた、リンクアームによって画定される回転軸線に垂直な方向に、かかる伝達部に対してオフセットされると考えられる。
【００２５】
前述のように、駆動シャフトの回転振動を、少なくとも１つのカッター要素の線形振動に変換するように、クランクアームがシャフトに取り付けられてもよく、かかるクランクアームは、シェーバヘッド内に位置付けられてもよく、かつ／又はカッター要素を駆動するための少なくとも１つの駆動ピンを支持してもよい。例えば、かかる駆動ピンは、シャフトに対して実質的に平行に延在してもよく、シャフト軸線に対して偏心して延在するようにクランクアームに固定して取り付けられてもよい。クランクアームが、その中立位置において、カッター要素の所望の線形振動に対して実質的に垂直に延在するとき、かかる駆動ピンは、所望のカッター要素の振動に対して正接する湾曲した経路に沿って動かされ、それ故に、ほぼ線形の振動を実行する。
【００２６】
４関節リンク機構のリンクアームの前述の起立配置により、シェーバヘッドの領域内にはかかる伝達部構造体のための十分な空間が存在し、回転振動シャフトは、リンクアームの間に延在し得る。
【００２７】
これら及び他の利点は、図面及び可能な例に言及する以下の説明から明らかになる。
【図面の簡単な説明】
【００２８】
【図１】自己調整シェーバヘッドを備える電気シェーバの斜視図であって、シェーバヘッドの傾斜軸線及び旋回軸線が、シェーバヘッドのカッター要素の往復駆動軸線及び沈降軸線に加えて示される図である。
【図２ａ】シェーバヘッド及びシェーバヘッドの支持構造体の断面図であって、支持構造体のリンクアームがシェーバの長手方向軸線を含む中間平面に対して対称であり、かつわずかに傾斜している状態の、中立位置又は非傾斜位置におけるシェーバヘッドを示す部分図である。
【図２ｂ】シェーバヘッド及びシェーバヘッドの支持構造体の断面図であって、リンクアームが枢動され、シェーバヘッドが左側でハンドルの方に下げられた状態の、傾斜位置におけるシェーバヘッドを示す部分図である。両部分図は、シェーバヘッドの瞬間回転中心と、瞬間回転中心が沿って移動する瞬間回転中心のポールホードと、カッター要素の左側端及び右側端の軌道であって、シェーバヘッドを傾けるときにこの左側端及び右側端が沿って移動する軌道と、を示す図である。
【図３】シェーバヘッドのための支持構造体のキネマティクスを例示するための、シェーバヘッドのための支持構造体のより概略的な図である。
【図４】代替的な態様によるシェーバヘッドのための支持構造体の概略図であって、シェーバヘッドの傾斜を可能にするための４関節リンク機構が、シェーバヘッドの旋回を可能にする旋回部分上に支持されている図である。
【図５ａ】シェーバヘッドが既に傾斜された位置に関する、シェーバヘッドの瞬間回転中心の位置の概略図であって、傾斜力及び接触圧のレバーアームを例示し、それ故に、シェーバヘッドが更に傾斜する容易性を示す図である。
【図５ｂ】シェーバヘッドが既に傾斜された位置に関する、シェーバヘッドの瞬間回転中心の位置の概略図であって、傾斜力及び接触圧のレバーアームを例示し、それ故に、シェーバヘッドが更に傾斜する容易性を示す図である。
【図６】シェーバヘッド及びシェーバヘッドの支持構造体の断面斜視図であり、４関節リンク機構のリンクアーム、及びカッター要素を往復運動様式で駆動するようにハンドルから支持構造体を通ってシェーバヘッドの中に延在する駆動トレーンを示す図である。
【図７】シェーバヘッドのための支持構造体の４点リンク機構の分解斜視図である。
【発明を実施するための形態】
【００２９】
カッター要素の皮膚に対する角度位置の応答性自己調整を達成するために、かつカッター要素を駆動するための駆動トレーンと支持構造体との間の衝突を避けるために、４関節リンク機構は、直立、起立構成で配置される一対のリンクアームを含んでいてもよく、シェーバヘッド部分に接続されるリンクアームのヘッドジョイントは、ハンドル又はかかるハンドルに接続されるベース部に接続されるリンクアームのハンドルジョイントよりも、ハンドルから更に離れている。このような起立型リンクアーム構成は、支持構造体の領域内に延在する、より大きな空間を駆動トレーンに与えるだけでなく、起立しているリンクアームが、吊り下げ振り子アームよりも、その位置からより容易に離れるので、シェーバヘッドのキネマティクスが向上し、剃毛される皮膚からの接触圧がより小さくなり、シェーバヘッドの角度調整が可能になる。加えて、このような起立型リンクアーム構成は、シェーバヘッドを回転変位させるとき、瞬間回転中心が沿って移動するポールホード又は経路の改良された配置を可能にする。
【００３０】
シェーバヘッドに対する震動がより少ない、それ故に、剃毛される皮膚に対する震動がより少ない、シェーバの良好に均衡化された取り扱い性及び高い駆動効率を達成するために、電気モータは、ハンドルを形成するシェーバハウジング内に収容されることができる。モータをカッター要素に接続する駆動伝達部は、ハンドルからシェーバヘッドの中に延在する駆動シャフトを含み、それ故に、駆動シャフトは、シェーバヘッドがハンドルに対して傾斜かつ／又は旋回することを可能にする支持構造体を通る。特に、モータは、シェーバヘッドとは反対のハンドルジョイントの側でハンドル内に受容されてもよく、リンクアームのハンドルジョイント及びヘッドジョイントによって画定される４関節リンク機構の複数の枢動軸線は、駆動シャフトを横断してその両側に延在する。
【００３１】
ハンドルの長手方向軸線に対して実質的に平行に、又はハンドルに対してわずかに傾斜して延在するシャフトは、回転軸線を有し、回転軸線に対して横断方向に大きな空間を必要としないやや細い要素であるので、４関節リンク機構のための大きな空間が、特にシェーバ本体の中央領域において存在し、よって、シェーバヘッドの可動式の支持構造体の所望のキネマティクスが可能となる。それでもなお、シェーバは、モータの重量がハンドル内に存在することにより、良好に均衡化されている。加えて、軽量化するために小さい寸法で設計される場合であっても、やや硬い伝達部であって、ロッカーバーよりも少ない屈曲を受けるシャフトによって、駆動効率を向上させることができる。
【００３２】
シャフトは、ハンドル内のモータによって回転振動様式で、すなわち、例えば、モータシャフトと駆動シャフトとの間のクランク型接続によって、限定された角度範囲について前後に回転させられ得る。かかる駆動シャフトの回転振動を、少なくとも１つのカッター要素の線形振動に変換するように、クランクアームがシャフトに取り付けられてもよく、かかるクランクアームは、シェーバヘッド内に位置付けられてもよく、かつ／又はカッター要素を駆動するための少なくとも１つの駆動ピンを支持してもよい。例えば、かかる駆動ピンは、シャフトに対して実質的に平行に延在してもよく、シャフト軸線に対して偏心して延在するようクランクアームに固定的に取り付けられてもよい。クランクアームが、その中立位置において、カッター要素の所望の線形振動に対して実質的に垂直に延在するとき、かかる駆動ピンは、所望のカッター要素の振動に対して正接する湾曲した経路に沿って動かされ、それ故に、ほぼ線形の振動を実行する。
【００３３】
高い駆動効率を達成するために、シャフトは、ハンドルによって回転可能に支持されているが、そうでなければ、駆動ピンの長手方向軸線がハンドルに対して固定された配向に延在するように、ハンドルによって固定して支持されてもよい。駆動ピンの長手方向軸線は、カッター要素の往復軸線を横断して延在してもよい。
【００３４】
４関節リンク機構のリンクアームの前述の起立配置により、シェーバヘッドの領域内にはかかる伝達部構造体のための十分な空間が存在し、回転振動シャフトは、リンクアームの間に延在し得る。
【００３５】
特に、４関節リンク機構のリンクアームは、カッター要素を通ってかつ／又はこれに隣接して延在する経路に沿って移動する瞬間回転中心を画定するように構成されてもよく、かかる経路は、剃毛される皮膚に接触するシェーバヘッドの機能面に向かって凸状である湾曲形状を有していてもよい。シェーバヘッドが４関節リンク機構の制御下でハンドルに対して回転するときの瞬間回転中心が沿って移動する経路は、ポールホード又は中心軌跡と呼ばれる場合がある。理論的には、４関節リンク機構のリンクアームによって画定されるかかるポールホードは、凸曲線だけでなく、閉じた円を画定してもよい。しかしながら、ハンドルに対するシェーバヘッドの移動及び回転の作動範囲を考慮すると、この作動範囲は通常制限されており、瞬間回転中心の経路は、その中心にカッターユニットの領域内に位置付けられたその極点又は頂点を有し得る前述の凸曲線を形成し得る。
【００３６】
カッター要素の機能面に非常に近接して延在する、瞬間回転中心のかかる経路により、剃毛される皮膚に沿うシェーバの摺動による摩擦力は、かかる摩擦力が瞬間回転中心に対して短いレバーアームしか有さないので、シェーバヘッドの不要な角度移動を引き起こさない。他方では、かかる機能面に対して主に有効横断方向又は垂直方向であるシェーバヘッドの機能面への接触圧により、シェーバヘッドは、皮膚の輪郭に追従するように、角度位置を調整する。
【００３７】
リンクアームの形状は、瞬間回転中心がカッター要素、特に、かかるカッター要素の機能面に近接したままであるように、瞬間回転中心の経路が、ほんのわずか湾曲した外形、及び／又は平坦な若しくは浅い外形を有しているように選択され得る。これによって、シェーバヘッドが皮膚に沿って動かされるときに、摩擦力が小さいレバーアームが維持される。例えば、リンクアームは、シェーバヘッドを作動範囲内、すなわち、最大端部位置の間で回転させるとき、瞬間回転中心が沿って移動するポールホード全体が、シェーバヘッド内に延在することができるように構成されてもよい。特に、ポールホードの少なくとも中央区分、例えば、ポールホードの長さのその中心から＋／−３分の１が、シェーバヘッドの上半分に延在することができる。かかる上半分とは、ハンドルから更に離れたシェーバヘッドの半分を意味する。
【００３８】
別の態様によれば、瞬間回転中心の経路は、駆動トレーンの駆動ピンとカッター要素との接続又はジョイントの領域内に又はこれに隣接して延在するように適合されてもよい。シェーバヘッドが中立位置にあるとき、又は中立位置に近いとき、又はわずかに回転しているとき、瞬間回転中心の位置に対応する経路の少なくとも中央部分は、カッター要素に対する駆動トレーンの接続ジョイントと基本的に同じ高さに延在するか、又はこの接続ジョイントを通り、かつ長手方向ハンドル軸線に対して垂直な平面に非常に近接して延在することができる。瞬間回転中心の経路が、カッター要素に対する駆動トレーンの接続ジョイントの近くに位置付けられているため、シェーバヘッド及び、それ故に、カッター要素は、シェーバヘッドが傾斜又は旋回しているときであっても、駆動ピンと実質的に同じ高さに留まる。したがって、瞬間回転中心の経路のかかる構成は、駆動トレーンとカッター要素との間の容易な接続を提供するのに役立つ。
【００３９】
シェーバヘッドの中立位置付近の領域におけるシェーバヘッドのより高い安定性を得るために、かつ／又は初期回転がもたらされた後のより容易な更なる回転を可能にするために、４関節リンク機構は、４点リンク機構によって画定された軸線を中心に回転するとき、シェーバヘッドがハンドルに向かって沈降する側であるシェーバヘッドの沈降側から更に離れて瞬間回転中心が移動するように構成されてもよい。例えば、シェーバヘッドが、シェーバヘッドを旋回軸線又は傾斜軸線の方向に見て、シェーバヘッドの右側端がハンドルに向かって移動するように傾斜又は旋回されると、瞬間回転中心はシェーバヘッドの左側端に向かって移動する。瞬間回転中心の、非沈降、反対端の方へのかかる移動により、接触力又は接触圧が瞬間回転中心に対するレバーアームを有する皮膚に接触するシェーバヘッドの機能面の表面部分が増加するので、シェーバヘッドの沈降端はより容易に更に沈降することができる。換言すれば、傾斜力のレバーアームは、瞬間回転中心の動きに起因して増加する。例えば、瞬間回転中心がシェーバヘッドの左端側に向かって動くとき、瞬間回転中心の右側に位置付けられた接触面の全体部分は、シェーバヘッドを瞬間回転中心の周りに更に回転させるレバーアームを有する。換言すれば、機能面上に実質的に垂直に作用する接触圧力は、瞬間回転中心が非沈降側に向かって移動することで、かかる押圧力のレバーアームを増加させるので、シェーバヘッドの回転度と共にトルクを増加させる。
【００４０】
更なる態様によれば、リンクアームは、特に、リンクアームの長さ、及びリンクアームのヘッドジョイントとハンドルジョイントとの間の距離は、シェーバヘッドを回転又は傾斜させるときシェーバヘッドの仮想中心点が沿って動く軌道が、ハンドルに向かって互いから分岐する２つの軌道分岐部を含む２つの勾配の屋根様形体を有するように構成され得る。シェーバヘッドの前述の仮想中心点は、リンクアームのヘッドジョイントに接続されるシェーバヘッド部分で固定され、カッターユニットの中心領域内に位置付けられた点であると考えることができる。仮想中心点は、カッター要素自体の点ではないので、カッター要素は、追加の往復運動を実行し、一方で仮想中心点は、４点リンク機構の制御下で、リンクアームのヘッドジョイントに直接接続されているシェーバヘッドフレームの回転運動のみを実行する。
【００４１】
換言すれば、４関節リンク機構は、シェーバヘッドが回転又は傾斜されるとき、カッター要素の中心がハンドルに向かって沈降するように構成され得る。カッター要素の中心に位置するシェーバヘッドの点のかかる軌道は、シェーバを取り扱う際の自然な感触を可能にし、加えて、シェーバヘッドの中立位置への容易な復元を可能にする。特に、軌道の前述の２つの勾配の屋根様形体は、シェーバヘッドが中立位置を離れるときのカッター要素と剪断フォイルとの間の摩擦抵抗を低減し得る。これは、前述の軌道構成により、ハンドルに対するシェーバヘッドの回転が、剪断フォイルに対するカッター要素の移動を全く引き起こさないか、又は非常に小さくしか引き起こさないので、剪断フォイルに対するカッター要素の摩擦抵抗によって引き起こされる、シェーバヘッドの回転に対する抵抗が、より少ないか、又は全くないからである。
【００４２】
軌道は、延在部がハンドルの長手方向軸線を含む平面の近傍によって画定される中央区分に限定されている、やや狭い構成を有していてもよい。特に、前述の２つの軌道分岐部は、軌道のピーク点から、長手方向ハンドル軸線を含むこの中央平面に対して、やや急にかつ／又はわずかに傾斜する方向に延在してもよい。例えば、軌道は、長手方向ハンドル軸線を含む中央平面から、この平面に対して垂直な方向にシェーバヘッドの延在部全体の＋／−２５％未満又は＋／−１０％未満だけ延在する、シェーバの中央部分に限定されてもよい。かかる狭い軌道により、摩擦力に起因する不要な傾斜に対するシェーバヘッドの安定性を改良することができ、しっかりとした取り扱い感覚をユーザに与えることができる。
【００４３】
４点リンク機構は、ハンドルの長手方向軸線に対して実質的に垂直に、かつシェーバヘッドの主軸線に対して実質的に垂直に延在する傾斜軸線を中心にシェーバヘッドを傾けることを可能にするように設けられてもよい。シェーバヘッドのかかる主軸線は、シェーバヘッドのより長い側面に平行に、かつ／又はカッター要素の往復軸線に平行に、かつ／又は細長いカッター要素自体の長手方向軸線に平行に延在していてもよい。例えば、シェーバヘッドが、機能面に隣接する一対のより大きな側面と、機能面及びより大きな側面に隣接する一対のより小さな側面とを有する、実質的に、大まかに言って、矩形のブロック様の形状を有する場合、前述の主軸線は、より大きな側面及び機能面に対して平行に延在してもよい。このようにシェーバヘッドの主軸線を画定すると、前述の傾斜軸線は、ハンドルの長手方向軸線及びシェーバヘッドの主軸線によって画定される平面に対して実質的に垂直に又は横断方向に延在するように画定され得る。
【００４４】
代替的に又は追加的に、前述の４関節リンク機構はまた、シェーバヘッドのための旋回軸線を画定するように設けられてもよく、旋回軸線は、ハンドルの長手方向軸線に対して実質的に垂直に、かつシェーバヘッドの前述の主軸線に対して平行に延在する。
【００４５】
基本的に、２つの４関節リンク機構が存在していてもよく、そのうちの１つは、シェーバヘッドの傾斜を可能にし、他方は、前述の傾斜軸線及び旋回軸線を中心とするシェーバヘッドの旋回を可能にする。しかしながら、代替的に、一態様によれば、前述の傾斜軸線を中心とするシェーバヘッドの傾斜を可能にするための前述の型の４関節リンク機構が提供されてもよく、一方で、シェーバヘッドの旋回は、固定された枢動軸線を画定する孔様の凹部内に回転可能に受容されたシャフト様の軸線を有し得る枢動軸線支持体によって可能とされる。
【００４６】
傾斜支持体と旋回支持体との組み合わせは、異なる方法で選択されてもよい。一態様によれば、シェーバヘッドの傾斜を可能にする４関節リンク機構は、４関節リンク機構及びその一対のリンクアームによって画定される傾斜軸線を中心にハンドルに対して傾斜することができるシェーバヘッドフレームなどのシェーバヘッド部分を支持してもよい。かかる傾斜可能なシェーバヘッド部分は、かかる旋回軸受によって画定される旋回軸線を中心に旋回することができる、カッター要素支持体部分などの更なるシェーバヘッド部分を枢動可能に支持する。換言すれば、旋回支持体又は旋回軸受は、４関節リンク機構によって傾斜可能に支持されている。
【００４７】
代替的に、４関節リンク機構のリンクアームがこれらのハンドルジョイントと接続されるベース部を有し、ハンドルに対して枢動可能に支持されることもまた可能であり、この結果、ベース部は、かかる旋回軸受によって画定される旋回軸線を中心に旋回することができる。このような構成では、シェーバヘッドの傾斜運動を可能にする４関節リンク機構は、ハンドルに対して旋回することができる。
【００４８】
４関節リンク機構によって画定される回転軸線、特に前述の傾斜軸線は、リンクアームの枢動軸線及びそのヘッド／ハンドルジョイントに対して実質的に平行に延在する。特に、リンクアームのヘッドジョイント及びハンドルジョイントは、シェーバヘッド部分、及びハンドル又はベース部に枢動可能に接続することができる。かかるヘッドジョイント及びハンドルジョイントによって画定される全ての枢動軸線は、互いに対して実質的に平行に、かつ／又は細長いリンクアームの長手方向軸線に対して実質的に垂直に延在し得る。
【００４９】
前述のように、４関節リンク機構が傾斜軸線を画定するとき、かかる傾斜軸線は、必ずしもハンドルの長手方向軸線に対して正確に垂直に延在する必要はないが、ハンドルの長手方向軸線に対して鋭角でわずかに傾斜していてもよい。例えば、かかる傾斜軸線は、ハンドルの長手方向軸線に対して７５°〜８９°の範囲の角度で延在してもよく、しかしながら、傾斜軸線がハンドルの長手方向軸線に対して９０°の角度で延在する、正確に垂直な配置を有することも可能である。
【００５０】
ハンドルの長手方向軸線に対する傾斜軸線の傾きに関係なく、シェーバヘッドのためのかかる傾斜軸線を提供する４関節リンク機構のリンクアームは、異なる位置及び／又は配向で配置されてもよい。例えば、リンクアームは、ハンドルの長手方向軸線に対してオフセットされた平面内、及び／又はハンドルのかかる長手方向軸線を含む中心平面内、及び／又は駆動トレーンに対してオフセットされた平面内に位置付けられてもよく、長手方向軸線からのかかるオフセットは、傾斜軸線の方向に与えられてもよい。かかる線形オフセットに加えて又はこれに代えて、リンクアームは、角度オフセットを有するように配置されてもよく、特に、傾斜軸線もまたハンドルの長手方向軸線に対して傾斜しているときには特に、ハンドルの長手方向軸線に対してわずかに傾斜した共通平面内に配置されてもよい。
【００５１】
シェーバヘッドが旋回軸線を中心に旋回し、傾斜軸線を中心に傾斜するように支持されるとき、支持構造体は、互いに近接して、かつ／又はシェーバヘッドの機能面に近接して、かつ／又はカッター要素に近接して位置付けられた旋回軸線及び傾斜軸線を有するように構成されてもよい。特に、旋回軸線は、カッター要素を通って、かつ／又はカッター要素の機能面に隣接して延在する支持構造体によって画定されてもよい。その結果、カッターヘッドの機能面を剃毛される皮膚に沿って動かすとき、旋回軸線を横断する機能面は、かかる旋回軸線に対して、レバーアームを全く有さないか、又は有意なレバーアームを有さないか、又は小さなレバーアームのみを有する。その結果、かかる摩擦力がシェーバヘッドの不要な旋回を引き起こさない。前述のような旋回軸受によってかかる旋回軸線を画定することができ、これにより、旋回軸線は、カッター要素に対する所望の位置に維持される。
【００５２】
更に、傾斜軸線が前述のように４関節リンク機構によって画定されるとき、４関節リンク機構は、瞬間回転中心が旋回軸線に近接して維持されるように構成されてもよい。特に、瞬間回転中心が沿って移動し得るポールホードは、旋回軸線を通って、かつ／又は旋回軸線に近接して延在してもよい。一態様によれば、かかるポールホードは、シェーバヘッドの旋回軸線からハンドルに向かって延在する半球内に、又は換言すれば、旋回軸線のハンドル側に完全に延在してもよい。シェーバヘッドがハンドルの上方にある直立位置のシェーバを考慮すると、瞬間傾斜中心のポールホードは、特に、ポールホードの頂部が、旋回軸線に近接してかつ／又は旋回軸線を通って位置付けられている状態で、旋回軸線の下方に延在してもよい。
【００５３】
例えば、４関節リンク機構のリンクアームは、その中立位置又は非回転位置にあるシェーバヘッドを考慮すると、１つの勾配の屋根様形体、又はΛ形体に配置され得る。この場合、リンクアームのそれぞれは、ハンドルの長手方向軸線を含む中心平面、及び／又はリンクアームのハンドルジョイント間の真中であり、リンクアームのかかるハンドルジョイントを通る枢動軸線に対して平行に延在する中心平面に向かってわずかに傾斜する。例えば、細長いリンクアームは、長手方向軸線と共に、かかる中心平面に対して５°〜４５°又は１０°〜２５°の範囲の鋭角で延在してもよいが、しかしながら一方で、他の構成も可能である。
【００５４】
別の態様によれば、リンクアームのハンドルジョイント間の距離は、リンクアームのヘッドジョイント間の距離よりも大きくてもよく、その距離の差は、異なって選択することができる。例えば、ハンドルジョイント間の距離は、ヘッドジョイント間の距離の１０５％〜２００％又は１２０％〜１５０％の範囲であってもよく、しかしながら一方で、かかる距離の差は、リンクアームの長さにつれて変化してもよい。
【００５５】
リンクアームのハンドル点とヘッド点との間の距離の差に関係なく、リンクアームの長さは、ハンドルに対するシェーバヘッドのコンパクトな配置を可能にするようにやや短く選択されてもよい。特に、支持構造体の高い安定性とコンパクトな配置とを組み合わせるように、リンクアームはそれぞれ、リンクアームのハンドルジョイント間の距離よりも短い、かつ／又はリンクアームのヘッドジョイント間の距離よりも短い長さを有していてもよい。
【００５６】
これら及び他の特徴は図面に示す例から明らかになる。図１から分かるように、シェーバ１は、シェーバを保持するためのハンドル２を形成するシェーバハウジングを有することができる。ハンドルは、例えば、シェーバを人間工学的に掴んで保持することを可能にする実質的に円筒形状又は箱形状又は骨形状などの様々な形状を有していてもよく、このようなシェーバハンドル２は、ハンドルの細長い形状によって長手方向軸線２０を有している（図１を参照）。
【００５７】
ハンドル２の一端には、シェーバヘッド３がハンドル２に取り付けられており、シェーバヘッド３は、旋回軸線７及び傾斜軸線１１を中心に回動可能に支持されてもよい。旋回軸線７及び傾斜軸線１１は、互いに対して実質的に垂直に、前述の長手方向ハンドル軸線２０に対して垂直に延在してもよい。
【００５８】
シェーバヘッド３の主軸線４０を考慮すると、旋回軸線７は、かかる主軸線４０に対して平行に延在してもよく、一方で傾斜軸線１１は、かかる主軸線４０に対して垂直に延在してもよい。かかる主軸線４０は、シェーバヘッド３のより大きい側面５５及び５７に対して平行に、かつ／又は細長いカッター要素４の長手方向軸線に対して平行に、かつ／又は長手方向ハンドル軸線２０に対して実質的に垂直に延在すると考えられ得る。図１から分かるように、シェーバヘッド３は、一対のより大きい側面５５及び５７が、ハンドル２から離れる方向に対向している機能面５６の両側に配置されている、実質的に矩形の箱様形状を有していてもよい。シェーバヘッド３は、前述のより大きい側面５５及び５７並びに機能面５６に隣接する２つのより小さい側面５８及び５９を更に有する。
【００５９】
シェーバヘッド３は、それぞれが細長いカッター要素４を含む一対の細長いカッターユニット１００を含んでいてもよく、細長いカッター要素４は、前述の主軸線４０に対して平行に延在し得る往復軸線８に沿って往復運動様式で駆動されることができる。カッター要素４は、カッター要素４を覆う剪断フォイル５と協働し、剪断フォイル５の下を往復運動することができる。
【００６０】
カッター要素４は、シェーバヘッド３に対して、特に、シェーバヘッドフレーム６に対して移動可能に支持されてもよく、その結果、一方では、カッター要素４は、旋回軸線７及び傾斜軸線１１を中心にシェーバヘッド３と共に旋回及び傾斜することができ、他方では、カッター要素４は、シェーバヘッドフレーム６に対して切断軸線又は往復軸線８に沿って振動することができる。往復軸線８は、細長いカッター要素４の長手方向軸線に対して平行に延在することができる。これらの自由度に加えて、カッター要素４は、追加の軸線に沿ってかつ／又はこれを中心にシェーバヘッドフレーム６に対して移動可能であってもよい。例えば、カッター要素４は、シェーバヘッド３の中に沈降することができ、すなわち、シェーバヘッド３が長手方向ハンドル軸線２０に対して実質的に平行な軸線と位置合わせされた位置にあるとき、長手方向ハンドル軸線２０に対して実質的に平行な軸線に沿って変位することができる。
【００６１】
シェーバヘッド３は、前述の一対のカッター要素４の間に、又は前述の一対のカッター要素４の側面に沿って配列され得る、長髪カッターなどの更なる機能要素を含んでいてもよい。前述の線形振動する細長いカッター要素４に加えて、又はこれに代えて、回転又は回転振動し得る回転式のカッター要素を設けることもまた可能であると考えられる。
【００６２】
図２及び図３から分かるように、シェーバヘッド３は、支持構造体３０によってハンドル２の上に支持されており、支持構造体３０は、平行軸線を中心に枢動することができる一対のリンクアーム３１及び３２を含むことができる４関節リンク機構３３を含むことができる。このようなリンクアーム３１及び３２は、図７に示されるように、Ｕ字型の断面を含む棒形状又はフレーム様構造を有していてもよい。
【００６３】
リンクアーム３１及び３２は、直立の、起立構成に配置されており、シェーバヘッド３に接続されるリンクアーム３１及び３２の端部は、ハンドル２又はかかるハンドル２に接続されるベース部４５に接続されるリンクアーム３１及び３２の反対側の端部よりも、ハンドル２から更に離れている。換言すれば、シェーバヘッド３がハンドル２の上方にある直立位置のシェーバ１を考慮すると、リンクアーム３１及び３２の上端部は、シェーバヘッド部分に接続されており、一方でリンクアーム３１及び３２の下端部は、ハンドル２又はハンドル２に装着されたベース部に接続されている。
【００６４】
シェーバヘッド３の中立位置又は非傾斜位置では、シェーバヘッド３の主軸線４０が長手方向ハンドル軸線２０に対して実質的に垂直に延在している。リンクアーム３１及び３２は、長手方向ハンドル軸線２０を含み、かつカッター振動軸線８を横断して延在する中心平面に対して対称に配置されてもよい（図２（ａ）を参照）。特に、リンクアーム３１及び３２は、かかる中心平面に対して鋭角で傾斜していてもよい。
【００６５】
図２及び図３から分かるように、リンクアーム３１及び３２がハンドル２又はベース部４５に枢動可能に接続されているハンドルジョイント３１ｂ及び３２ｂは、ヘッドジョイント３１ａと３２ａとの間の距離よりも大きな距離Ｌ１で互いに離間しており、リンクアーム３１及び３２は、シェーバヘッド部分に枢動可能に接続されている。距離Ｌ１と距離Ｌ２との間の比は、前述のように所望のキネマティクスを達成するように、多様であってもよく、かつ／又はリンクアーム３１及び３２の長さに適合されてもよい。
【００６６】
特に、リンクアーム３１及び３２は、前述の中心平面にやや近接して配置されてもよい。例えば、ハンドルジョイント３１ｂ、３２ｂの互いからの距離Ｌ１は、カッター要素の往復軸線８の方向に測定されるシェーバヘッド３の長さＬ３の５０％未満又は４０％未満であってもよい（図２（ａ）を参照）。
【００６７】
追加的に又は代替的に、リンクアーム３１、３２の長さｌは、空間を省くコンパクトな配置、及び及びシェーバヘッド３の容易に制御可能なキネマティクスを可能にするために、やや短く選択されてもよい。特に、リンクアーム３１、３２の長さｌは、リンクアーム３１、３２のヘッドジョイント３１ａ、３２ａの互いからの距離Ｌ２よりも小さくてもよく、かつ／又はカッター要素の往復運動軸線８の方向に測定されるシェーバヘッド３の長さＬ３の３０％未満、又は２５％未満、又は２０％未満であってもよい（図２（ｂ）を参照）。リンクアームの長さｌは、リンクアーム３１又は３２のヘッドジョイント及びハンドルジョイント３１ａ、３１ｂ又は３２ａ、３２ｂの互いからの距離に対応し、両方のリンクアーム３１、３２は同じ長さｌを有していてもよい。
【００６８】
図２から分かるように、シェーバヘッドフレーム６は、傾斜軸線１１に対して平行な枢動軸線を画定するリンクアーム３１及び３２のヘッドジョイント３１ａ及び３２ａにおいて、リンクアーム３１及び３２に接続されてもよい。その結果として、シェーバヘッドフレーム６は、傾斜軸線１１を中心にハンドル２に対して傾斜し得る。
【００６９】
更に、シェーバヘッドフレーム６は、かかるカッター支持フレーム４６などの別のシェーバヘッド部分を枢動可能に支持し得て、かかるカッター支持フレーム４６は、シェーバヘッドフレーム６とカッター支持フレーム４６との間の枢動軸受３４によって画定される旋回軸線７を中心に旋回することを可能にし得る。かかる枢動軸受３４は、孔又は凹部又はボールソケット内に受容されるシャフト又はボールを含んでいてもよく、旋回軸線７は、シェーバヘッドフレーム６に対して固定されてもよい。
【００７０】
前述のカッター要素４は、カッター支持フレーム４６で支持されていてもよく、カッター要素４は、カッター支持フレーム４６に対して、往復軸線８に沿う前述の往復駆動運動を実行することが可能であり得る。加えて、カッター要素４は、かかるカッター支持フレーム４６に対し、ハンドル２に向かって沈降し得る。
【００７１】
４関節リンク機構３３の前述の直立構成によって、シェーバヘッド３は、傾斜後、ハンドル２から離れるように、かつ／又はベース部４５から離れる方向にシェーバヘッド３を促す付勢手段７０によって、その中立位置又は非傾斜位置に戻され得る。図６から分かるように、かかる付勢手段７０は、カッターユニットをハンドル２から離れる方向に促すばね装置を含んでいてもよく、かかるばねは、前述のカッターユニット１００と、カッター要素４を往復運動様式で駆動するための駆動トレーン要素との間に位置付けられてもよい。したがって、付勢手段７０は、リンクアーム３１及び３２、並びにシェーバヘッド３をこれらの／この中立の、非傾斜位置に付勢することと、カッターユニット４が沈降かつ／又は浮上することを可能にすることと、を含む、二重の機能又は複数の機能を果たすことができる。
【００７２】
シェーバヘッド構造体に対するカッター要素４のかかる沈降に加えて、又はこれに代えて、カッター要素４を含むシェーバヘッド３全体を沈降させることもまた可能であると考えられる。例えば、前述のリンクアーム３１及び３２は、ハンドル２に直接接続される必要はなく、ハンドル２の長手方向軸線２０に沿って動かされ得るようにハンドル２上に移動可能に支持され得るベース部４５に連結されてもよい。換言すれば、ベース部４５がリンクアーム３１及び３２を枢動可能に支持し、それ故に、シェーバヘッド３全体がハンドル２に向かって沈降し得る。付勢装置又はばね装置は、ハンドル２とベース部４５との間に設けられて、ベース部４５をハンドル２から離れる方向に、かつ／又はシェーバヘッド３に向かって付勢するか又は促すことができ、その結果、シェーバヘッド３は、付勢力又はばね力に抗して沈降し得る。しかしながら、代替的に、かかるベース部４５はまた、ハンドル２上に堅固に装着されてもよい。
【００７３】
図２及び図３から分かるように、傾斜運動を可能にする４関節リンク機構３３がハンドル２と旋回支持構造体３４との間に配置されているので、旋回支持構造体は、傾斜軸線１１を中心とする傾斜運動を実行することができる。しかしながら、図４によって示されるように、かかる順序又は構造は、４関節リンク機構３３が旋回運動を可能にするように反転されてもよい。特に、ベース部４５は、ハンドル２に対して旋回軸線７を中心に旋回することを可能とするためにハンドル２上に枢動可能に支持されてもよく、４関節リンク機構３３のリンクアーム３１及び３２は、ハンドルジョイント３１ｂ及び３２ｂにより、かかる旋回するベース部４５に接続されてもよい（図４を参照）。
【００７４】
図２及び図３によって示されるように、旋回軸線７は、カッター要素４を通って、又はこれに非常に近接して延在してもよく、旋回軸線７は、一対のカッター要素が設けられる場合、カッター要素４の間に延在してもよい。例えば、旋回軸線７は、シェーバヘッド３の上半分、すなわち、ハンドル２から更に離れたシェーバヘッド３の半分に延在してもよく、又はシェーバヘッド３の最上部４分の１に延在してもよく、又はブロック様カッター要素４が収容されているシェーバヘッド３の頂部を通って延在してもよい。
【００７５】
４関節リンク機構３３によって画定される傾斜軸線１１は、旋回軸線７に近接して位置付けられてもよい。特に、傾斜軸線１１は、４関節リンク機構３３並びにリンクアーム３１及び３２の動きによって移動し得る。図２から分かるように、一方が、リンクアーム３１のうちの一方のヘッドジョイント３１ａ及びハンドルジョイント３１ｂを通り、他方が、リンクアーム３２のうちの他方のヘッドジョイント３２ａ及びハンドルジョイント３２ｂを通る、２本の直線の交点は、経路又はポールホード６０に沿って移動し得る傾斜軸線１１に対応する瞬間回転中心６１を画定する。
【００７６】
リンクアーム３１及び３２、特に、リンクアーム３１及び３２の長さ並びにリンクアーム３１及び３２のヘッドジョイント及びハンドルジョイントの位置付けは、シェーバの動作時にハンドルに対してシェーバヘッドを傾斜させる限定された作動範囲を考慮すると、瞬間回転中心６１の観点から傾斜軸線１１が沿って移動し得るポールホード６０が、機能表面５６に向かって凸状である湾曲した外形を有するように構成されることができる。ポールホード６０のかかる凸状曲線は、シェーバヘッド３が傾斜軸線１１を中心に傾斜されたときであっても、瞬間回転中心６１を旋回軸線７に近接して維持するやや浅い外形を有していてもよい。
【００７７】
図２から分かるように、リンクアーム３１及び３２は、傾斜軸線１１のためのポールホード６０が完全にシェーバヘッド３内に延在するように構成されてもよく、かかるポールホード６０の主要部分は、シェーバヘッド３の上半分、すなわち、ハンドル２から更に離れたシェーバヘッド３の半分に延在してもよい。例えば、図２ａによって示されるような中立の又は非傾斜のシェーバヘッド位置のためのポールホード６０の中心点を考慮すると、ポールホード６０の左側少なくとも３分の１、及びポールホード６０右側少なくとも３分の１が、シェーバヘッド３の上半分に延在してもよい。
【００７８】
リンクアーム３１及び３２の構成は、シェーバヘッド３を傾斜軸線１１を中心に傾けるとき、カッター要素４の領域内のシェーバヘッド３の仮想中心点４１を、軌道６２に沿って移動させるように選択されてもよく、軌道６１は、ハンドル２に向かって互いから分岐する２つの軌道分岐部を含む１つの勾配の屋根様形体を有していてもよい。前述の中心点４１は、シェーバヘッド３の非傾斜位置にある旋回軸線７と長手方向ハンドル軸線２０との交点付近の領域において、リンクアーム３１、３２のヘッドジョイント３１ａ、３２ａに取り付けられたシェーバヘッド部分の固定点であると考えることができる。動作中、シェーバヘッド３の傾斜中の、この中心点４１、すなわち、中心点４１は、軌道６２に沿って移動し、軌道６２の外形は４点リンク機構３３の構成によって画定される。
【００７９】
図２によって示されるように、軌道６２は、シェーバヘッド３の機能面側から軌道６２を見たときに凸状の外形を有していてもよく、軌道６２は、２つの軌道分岐部がハンドル２に向かって下に行く中心ピークを有していてもよい。かかる凸状の軌道により、中心点４１もまた、シェーバヘッド３が傾いたときにわずかに沈降する。
【００８０】
シェーバヘッド３の傾きに対するシェーバヘッド３のキネマティクスにより、輪郭に適合するための良好な制御がもたらされ、シェーバの取り扱い性が改善される。特に、シェーバヘッド３は、シェーバヘッド３が中立位置若しくは非傾斜位置にあるとき、又はわずかに傾けられているとき、傾斜に抗する安定性が増加する一方で、シェーバヘッドは、既にある程度傾けられているときには、より容易に更に傾けられる。換言すれば、傾斜角が増加するにつれて、シェーバヘッドの傾斜容易性が増加する。
【００８１】
これは、図５から分かるが、瞬間回転中心がシェーバヘッド３の端部側から離れる方向に移動する傾斜軸線１１を画定することによって達成することができ、又は少なくとも支持されることができ、この端部側で、シェーバヘッド３は、傾斜時にハンドルに向かって沈降する。例えば、図５は、時計回りの傾斜に起因して沈降するシェーバヘッド３の右手側を示す。傾斜軸線１１を引き起こす、特に、瞬間回転中心がシェーバヘッド３の左端側に向かってポールホード６０に沿って移動することを引き起こす、４関節リンク機構３３の構成により、シェーバヘッド３を更に傾けるように促す接触力のレバーアームは、傾斜角度が増加するにつれて増加するレバーアーム８０となる。シェーバヘッド３が右側に向かって更に傾けば傾くほど、瞬間回転中心が左側に向かって更に移動し、これは、上で接触圧がレバーアームを得る機能面５６の部分を増加させて、シェーバヘッド３を更に傾ける（部分図５ｂを参照）。
【００８２】
図６から分かるように、各カッター要素４は、ハンドル２を形成するシェーバハウジングから、シェーバヘッド３の中をカッター要素４まで延在する細長い駆動伝達部９によって振動様式で駆動されることができる。かかる細長い駆動伝達部９は、ハンドル２を形成するシェーバハウジングの内部からハンドル２の外部まで延在する（これはシェーバハウジングのシェルを通り、シェーバヘッド３の中に入ることを意味する）剛性シャフト９０を含んでいてもよく、駆動ユニットが、ハンドル２を形成するシェーバハウジング内に収容されるモータ９３を含んでいて、シャフト９０を振動様式で回転させてもよい。かかるモータ９３は、好適な様式で、例えば、モータシャフトの回転をシャフト９０の回転振動に変換するクランク機構を介して、シャフト９０に接続される回転電気モータであってもよい。
【００８３】
シャフト９０は、長手方向軸線又は回転軸線１９０と共に、ハンドル２を形成するシェーバハウジングに対して固定された配向で保持され、特に、シェーバハウジング長手方向軸線２０に対して実質的に平行に、又はシェーバハウジング長手方向軸線２０に対して、例えば、２°〜２０°又は５°〜１５°の鋭角でわずかに傾斜して保持される。
【００８４】
図６から分かるように、ハンドルジョイント３１ｂ、３２ｂ及びヘッドジョイント３１ａ、３２ｂによって画定される４関節リンク機構の枢動軸線は、両側にある駆動シャフト９０を横断して延在する。リンクアーム３１、３２は、駆動シャフト９０の両側に位置付けられてもよく、前述の駆動シャフト９０を間に挟んでもよい。
【００８５】
図２は、１つの駆動ピン９１のみを示しているが、図６から、２つのカッター要素４が存在するときには２つの駆動ピン９１が存在してもよいことが明らかであり、かかる細長い駆動ピン９１は、互いに平行に延在しており（図６を参照）、又は３つ以上のカッター要素４が存在するときには３つ以上の駆動ピン９１が存在してもよい。
【００８６】
駆動ピン９１はそれぞれ、前述のシャフト９０によって駆動されて、細長いカッター要素４の長手方向延在部に対して実質的に平行な方向に、シェーバヘッド３に対して一軸振動する（図４及び図５を参照）。特に、シャフト９０及びクランクアーム９２の回転振動により、駆動ピン９１は、円形経路に沿って振動を実行する。しかしながら、クランクアーム９２は、カッター要素４の振動軸線８に対して実質的に垂直な方向に延在するので、少なくとも、クランクアーム９２が前後の逆方向に回転振動する起点であるシャフト９０及びクランクアーム９２の中立位置又は中間位置を考慮したとき、駆動ピン９１が沿って振動する円形経路のセグメントは、振動軸線８に対して接線方向に向いている。回転振動の振幅は制限されているので、円形経路のセグメントは、振動軸線８に対してほぼ平行、かつ／又は振動軸線８に対してほぼ線形かつ平行であると考えることができる。
【００８７】
シャフト９０及び駆動ピン９１を含む駆動伝達部９全体は、その駆動ピン９１の観点から、細長い駆動伝達部９の突出端部がカッター要素４に設けられた内部空間内に延在するように、ハンドル２からカッター要素４の中に延在してもよい。
【００８８】
シャフト９０、クランク要素９２、及び駆動ピン９１を含む駆動伝達部９全体は、回転可能に支持されているが、そうでなければ、各駆動ピン９１によって画定された長手方向軸線１３がハンドル２に対して固定された配向で延在するように堅固に支持されている剛性構造体を形成する（図２及び図６を参照）。このような長手方向軸線１３は、ハンドルの長手方向軸線２０に対して実質的に平行であってもよく、又はハンドルの長手方向軸線２０に対して鋭角で傾斜していてもよい。
【００８９】
図６から分かるように、細長い駆動伝達部９の駆動ピン９１は、カッター要素４と係合するジョイントによってカッター要素４に連結されている。
【００９０】
前述の旋回軸線７及び傾斜軸線１１は、カッター要素４を駆動伝達部９に接続する接続点２００を含む仮想平面内又は仮想平面のすぐ近くに隣接して延在してもよい（図６を参照）。仮想平面は、駆動シャフト９０の長手方向軸線１９０に対して実質的に垂直に延在する。
【００９１】
本明細書で開示する寸法及び値は、列挙された正確な数値に厳密に限られるとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することが意図される。
【図１】
2019528967.tif 000003
【図２ａ】
2019528967.tif 000004
【図２ｂ】
2019528967.tif 000005
【図３】
2019528967.tif 000006
【図４】
2019528967.tif 000007
【図５ａ】
2019528967.tif 000008
【図５ｂ】
2019528967.tif 000009
【図６】
2019528967.tif 000010
【図７】
2019528967.tif 000011
【国際調査報告】
2019528967.tif 000012
2019528967.tif 000013